(57)【特許請求の範囲】
【請求項１】
ディスクが当接することによって揺動するディスク検知レバーと、大径ディスクの挿入時に前記ディスク検知レバーに押されて移動すると共に、その移動時にロックを解除するロック部を設けたロックスライダーと、前記ロック部によりロックされる被ロック部と小径ディスクを位置決めできる位置に配設されたストッパとを備えて所定位置に待機すると共に、大径ディスクの挿入時にディスクの挿入方向に移動する切換スライダーと、この切換スライダーに係合して移動し、大径ディスクの排出時に、その大径ディスクによって揺動された前記ディスク検知レバーにより移動する前記ロックスライダーの力によって、前記切換スライダーを前記所定位置に戻すレバーリターンとからなることを特徴とするディスクプレーヤ。
【請求項２】
ロックスライダーと、切換スライダーと、レバーリターンとをディスクを押さえるアームクランプに設けてなる請求項１記載のディスクプレーヤ。
【請求項３】
ディスク検知レバーをトップシャーシに設けてなる請求項１または請求項２記載のディスクプレーヤ。
【請求項４】
ディスク検知レバーは、レバーリンクにより連動連結した第１ディスク検知レバーと第２ディスク検知レバーとからなる請求項１乃至請求項３のいずれかに記載のディスクプレーヤ。
【請求項５】
ディスク検知レバーをトップシャーシと、該トップシャーシに固定した搬送ローラを受けるカバー裏板との間に設けてなる請求項１乃至請求項４のいずれかに記載のディスクプレーヤ。
【請求項６】
ロックスライダーをアームクランプの片面側に、レバーリターンと切換スライダーを他面側に設けてなる請求項１乃至請求項５のいずれかに記載のディスクプレーヤ。
【請求項７】
切換スライダーを前方と後方に付勢する反転スプリングを設けてなる請求項１乃至請求項６のいずれかに記載のディスクプレーヤ。
【請求項８】
切換スライダーには、ディスク検知ピンを備えたディスクエンド検知レバーを係合してなる請求項１乃至請求項７のいずれかに記載のディスクプレーヤ。
【発明の詳細な説明】
【０００１】
【発明の属する技術分野】
本発明は、コンパクトディスク（ＣＤ）のためのディスクプレーヤにおいて、ディスクプレーヤ内へのディスクのローディング、及びそのイジェクトを行うためのディスク搬送装置に関し、特に、８ｃｍＣＤと１２ｃｍＣＤのディスクを使用するディスクプレーヤにおいて、１２ｃｍＣＤのイジェクト搬送を適切に行うことができるようにしたディスクプレーヤに関する。
【０００２】
【従来の技術】
コンパクトディスク（ＣＤ）のためのディスクプレーヤにおいて、特に車両搭載用として１ＤＩＮの型にコンパクト化したディスクプレーヤは、フロントローディング形式を採用しており、このようなディスクプレーヤにおいても、小径の８ｃｍＣＤと大径の１２ｃｍＣＤの両ディスクを使用することができるようにしたものが開発され、使用されている。このようなディスクプレーヤにおいて、ディスクプレーヤ内へのディスクのローディング時には、使用者がディスクの挿入口から所定量挿入すると、ディスク検知手段によりディスクの挿入が検知され、挿入口部分に設けた上下２個の搬送ローラにより、あるいは下方の１個の搬送ローラが上方のプレート側に移動してディスクを挟み、その搬送ローラの搬入方向の回転によりディスクをターンテーブル上に搬送し、その後下側の搬送ローラを下方に待避させる。次いでアームクランプを作動してディスクの中央を上方から挟み、モータを駆動してターンテーブルを回転しディスクを再生するようにしている。
【０００３】
また、上記のようにローディングされたディスクのイジェクト時には、ディスク駆動モータが作動しているときはそれを停止し、クランプアームを上げてディスクのクランプを解放した後、下方に待避していた下側の搬送ローラを上昇させ、上側の搬送ローラまたはプレートの間にディスクを挟み、搬送ローラをディスクの排出方向に回転させ、ディスクの端部が挿入口から所定量突出させた状態でその駆動を停止し、突出したＣＤを使用者が取り出すようにしている。
【０００４】
このような８ｃｍＣＤと１２ｃｍＣＤの両方のディスクを使用できるようにしたディスクプレーヤにおいて、いずれのディスクをローディングする際にも、ディスクが完全にローディングされたときに上記のようなアームクランプの作動、搬送ローラの降下等を行わなければならない。そのためディスクが完全にローディングされたことを検出し、次の作動を行うための手段が必要となるが、その手段としては複数の光学的な検出手段を用い、その検出出力で各種の駆動制御を行うことも提案されている。しかしながら、このような検出手段を設け、各種の駆動制御機構を装備するとディスクプレーヤが高価なものとならざるを得ない。
【０００５】
その対策として、ローディングされるディスクの縁にレバーを当接するようにし、レバーの回動位置に応じて両ディスクのいずれかを判別すると共に、そのレバー機構に連動する機構によって次に続く上記各種の作動を連動させることが提案されている。その一つとして、特開平６−４４６６０号公報に示されたディスクローディング装置がある。この装置においては、図１４に示すように、搬送ローラ２００によって搬送されるディスク２０１の大きさに応じてフロントアーム２０２の揺動を変化させるようにし、１２ｃｍＣＤのときはフロントアーム２０２が揺動することによって、その先端でロックアーム２０３のピン２０４がストッパアーム２０５のカム溝２０６から外れ、ストッパアーム２０５の回動が可能になるようにし、それによりストッパアーム２０５によるディスクストッパ２０７への位置規制を解除し、１２ｃｍＣＤがディスクストッパ２０７を後方に押し出し、これを規制しているストッパアーム２０５を時計方向に回転させる。さらにディスクが挿入されると、ストッパアーム２０５のカム溝２０６の手前側にロックアームのピン２０４が入り込み、ロックする。そのため、ストッパアーム２０５のみの回転運動から、ロックアーム２０３も回転をおこない、それによりラックギヤ２０８を作動させ、シフトプレートを駆動する等の各種作動を連動するようにしている。また、８ｃｍＣＤをローディングするときには、その径が小さいのでフロントアーム２０２は揺動することがなく、その先端でロックアーム２０３とストッパアーム２０５とはロックされた状態のまま保持される。更にディスクが挿入されると、ストッパアーム２０５と同期してロックアーム２０３が時計方向に回転し、ラックギヤ２０８を作動させ、シフトプレートを駆動する等により各種作動を連動するようにしている。
【０００６】
【発明が解決しようとする課題】
上記のような装置を用いると、光学的な検出装置等を用いる必要が無くなり、安価なものとなる。しかしながら、上記装置においては上記のような作動を行うことによりディスクをローディングした後、このディスクをイジェクトする際に問題を生じる。即ち、上記装置において、大径の１２ｃｍＣＤをイジェクトする際には、ディスクの縁によりフロントアーム２０２を回転させ、ロックアーム２０３を左方に押しだし、ロックアーム２０３のピン２０４とストッパアーム２０５のカム溝２０６の規制部とによってロックされていた状態を解除する。その結果、ストッパアーム２０５はストッパアームスプリング２１０により反時計方向に付勢されて回転し元に戻るが、この時ディスクストッパ２０７も連動して移動し、排出されようとするディスクの後端を押し出すこととなる。
【０００７】
上記ストッパアームスプリング２１０は、そのスプリング力を強く設定すると、上記装置を確実に元に戻すことができる反面、ローディングの際、強いスプリング力に対抗するべく、ディスク搬送力を大きくしなければならず、モータへの負担が大きくなるほか、ディスクストッパ２０７の戻り速度が速くなり、またその力も強いものとなるので、特に１２ｃｍＣＤのときには、イジェクトされようとするディスクの後端を強く押し、ディスクがディスクプレーヤの入口から飛び出してしまい、使用者にとって不快であり、また、ディスクの損傷等の被害を生じることとなる。また、逆にそのスプリング力を弱く設定すると、上記装置を元に戻すことが不確実となり、小径ディスクの位置決めをすることができなくなる。
【０００８】
したがって、本発明は、８ｃｍＣＤと１２ｃｍＣＤを使用できるディスクプレーヤにおいて、１２ｃｍＣＤのイジェクト時にディスクの飛び出しを防止すると共に、ディスクストッパを８ｃｍＣＤの位置まで確実に戻すことができるようにしたディスクプレーヤを提供することを目的とする。
【０００９】
【課題を解決するための手段】
本発明は、上記課題を解決するために、ディスクが当接することによって揺動するディスク検知レバーと、大径ディスクの挿入時に前記ディスク検知レバーに押されて移動すると共に、その移動時にロックを解除するロック部を設けたロックスライダーと、前記ロック部によりロックされる被ロック部と小径ディスクを位置決めできる位置に配設されたストッパとを備えて所定位置に待機すると共に、大径ディスクの挿入時にディスクの挿入方向に移動する切換スライダーと、この切換スライダーに係合して移動し、大径ディスクの排出時に、その大径ディスクによって揺動された前記ディスク検知レバーにより移動する前記ロックスライダーの力によって、前記切換スライダーを前記所定位置に戻すレバーリターンとからディスクプレーヤを構成したものであり、また、ロックスライダーと、切換スライダーと、レバーリターンとをディスクを押さえるアームクランプに設け、また、ディスク検知レバーをトップシャーシに設け、また、ディスク検知レバーは、レバーリンクにより連動連結した第１ディスク検知レバーと第２ディスク検知レバーとから構成し、また、ディスク検知レバーをトップシャーシと、該トップシャーシに固定した搬送ローラを受けるカバー裏板との間に設け、また、ロックスライダーをアームクランプの片面側に、レバーリターンと切換スライダーを他面側に設け、また、切換スライダーを前方と後方に付勢する反転スプリングを設け、また、切換スライダーには、ディスク検知ピンを備えたディスクエンド検知レバーを係合したものである。
【００１０】
【発明の実施の形態】
本発明の実施例を図面に沿って説明する。図１は本発明を適用したいわゆる１ＤＩＮタイプのＣＤプレーヤであり、その外側を構成する部材を大別すると、図に示すように、上面を開放した箱形のベースシャーシ１と、このベースシャーシ１の開放した上面の前方（なお、ディスクプレーヤのディスクが挿入される側を「前方」という、以下同様。）を覆うように設けたトップシャーシ２と、ベースシャーシ１の上面の後方を覆うように、ベースシャーシ１の内部部材に対して左右の回動部３により回動自在に設けたアームクランプ４とを備えている。
【００１１】
トップシャーシ２は、ベースシャーシ１の両側壁５、５の外側に一部重なるように設けた側板６、６を両側に備え、また、この側板６、６の部分に位置する左右の開口７、７と、トップシャーシ２の前板８の左右端部に設けた開口１０、１０とを備え、更に、左右に張り出すようにねじ止め部１１、１１を備えるとともに、左右前方にはローラアーム軸止め突起１２、１２を備えている。
【００１２】
それに対してベースシャーシ１には、トップシャーシ２の前記開口７，７，１０，１０に対向して上方に延びる左右の突起１３、１３と前方左右の突起１４、１４を備え、また、トップシャーシ２のねじ止め部１１、１１に対向して左右に張り出すようにねじ止め受け部１５、１５を備えるとともに、ローラ軸止め突起１１、１１と嵌合するようにローラアーム軸１６を軸支する軸受け部１７、１７に連通する嵌合溝１８、１８を備えている。それにより、ベースシャーシ１に対してトップシャーシ２を上方から被せる際、ベースシャーシ１の側壁５、５にトップシャーシ２の側板６、６を重ね、ベースシャーシ１の突起１３，１３，１４１４を各々トップシャーシ２の開口７，７，１０，１０に嵌合し、ベースシャーシ１の嵌合溝１８、１８にトップシャーシ２のローラアーム軸止め突起１２、１２を嵌合することにより、ベースシャーシ１とトップシャーシ２は正確に位置決めされ、ベースシャーシ１のねじ止め受け部１５、１５のねじ穴とトップシャーシ２のねじ通孔２０、２０とが一致し、ここにねじ４９をねじ込むことにより固定され、両者は一体化する。
【００１３】
上記のようなトップシャーシ２をベースシャーシ１から取り外して、更に、後述するようにカバー裏板２１をベースシャーシ１から取り外して各々裏返した状態を図２に示す。したがって、図２においては、図１とは前後方向は同じであるが、左右が逆になって示されている。カバー裏板２１は前方に突出した左右の係止突起２２、２２、中央部には図中下方に突出する左右の係合突起２３，２３，両側部近傍にも図中下方に突出する左右の係合突起２４、２４，更に、後端部中心には後方且つ図中下方に突出する係合突起２５を備えている。上記の各図中下方に延びる係合突起２３，２３，２４，２４，２５は各々その先端は左右のいずれかの方向に延び出ており、その延出部分で係合部を構成している。また、左右には前方に延びる弾性アーム２６、２６を備えており、各弾性アーム２６、２６の前端部には下方に係止部２７、２７を形成している。トップシャーシ２の前端両側部には、後に詳述する第１ディスク検知レバー２８，第２ディスク検知レバー２９の第１検知ロッド３０，第２検知ロッド３１の回動軌跡と略一致する曲縁部１９を備えている。カバー裏板２１の後方には、更に後方に延びる平面視略三角形上のアーム３２、３２が左右対称に延びており、その先端にはスプリング３３の両端部を固定している。また、中央表面には、両側部に近づくに従って次第に深くなる搬送ローラ受け溝３９が形成されている。
【００１４】
一方、トップシャーシ２には、前端縁両側に係止穴３４、３４を備え、前記係合突起２３，２３，２４、２４、２５に対向する位置に、カバー裏板側に延びるとともに、その先端に係合部を形成した係合突部３５、３５，３６，３６，３７を形成している。また、カバー裏板２１の両側の弾性アーム２６、２６に形成した係止部２７、２７に対向する位置に係止穴３８、３８を備えている。それにより、図２に示すようにトップカバー２を裏返しにした状態で、カバー裏板２１を図中上方からあてがい、カバー裏板２１を前方にずらすことにより、カバー裏板２１の係止突起２２，２２はトップシャーシ２の係止穴３４，３４に、また同様に係合突起２３，２３は係合突部３５，３５に、係合突起２４，２４は係合突部３６，３６に、係合突起２５は係合突部３７に各々係合し係止されるとともに、弾性アーム２６，２６の係止部２７，２７は係止穴３８，３８にその弾性力によって嵌入し抜け止めされる。
【００１５】
トップシャーシ２の裏側、即ち図２に示すトップシャーシ２の上側には、回転穴４０、４１を中心に回動する第１ディスク検知レバー２８と第２ディスク検知レバー２９とを備えており、回転穴４０，４１は、トップシャーシ２の素材を深絞り加工して形成した左右のボス４２、４３に嵌合する。それにより第１ディスク検知レバー２８は、ボス４２に嵌合する回転穴４０を中心に、前方に延びる第１前側レバー４４と後側に延びる第１後側レバー４５とを備え、第２ディスク検知レバー２９は、ボス４３に嵌合する回転穴４１を中心に、前方に延びる第２前側レバー４６と後側に延びる第２後側レバー４７とを備えている。
【００１６】
第１ディスク検知レバー２８の第１前側レバー４４の先端には、レバーに垂直に立設する第１検知ロッド３０を備え、第１前側レバー４４の基部４８の近傍にはガイド溝穴５０を形成している。第１ディスク検知レバー２８の回転穴４０を中心とする基部４８には、第１ディスク検知レバー２８の外側に扇形に形成された第１ガイド突起５１を備えるとともに、第１ディスク検知レバー２８の内側には扇形に形成されたガイド穴５２を備え、このガイド穴５２には、前記第１ガイド突起５１と同様に、且つ対称的に扇形に形成された第２ガイド突起５３を備えている。第１ディスク検知レバー２８の第１後側レバー４５の基部４８近傍外側には略Ｕ字型に延びるスプリング係止部５４を備え、第１後側レバー４５の端部には、図２に示すように第１ディスク検知レバー２８をトップシャーシ２に組み込み時にその先端がトップシャーシ２の後壁５５から大きく突出する押圧部５６を備えている。
【００１７】
第２ディスク検知レバー２９は上記第１ディスク検知レバー２８と略同様に形成され、その第２前側レバー４６の先端には、レバーに垂直に立設する第２検知ロッド３１を備えている。第２ディスク検知レバー２９の回転穴４１を中心とする基部６０には、第２ディスク検知レバー２９の外側に扇形に形成された第２ガイド突起６２を備えるとともに、第２ディスク検知レバー２９の内側には扇形に形成されたガイド穴６３を備え、このガイド穴６３には、前記第２ガイド突起６２と同様に、且つ対称的に扇形に形成された第２ガイド突起６４を備えている。第２ディスク検知レバー２９の第２後側レバー４７の基部６０近傍外側には略Ｕ字型に延びるスプリング係止部６５を備え、また、基部６０の近傍にはガイド溝穴６１を形成し、第２後側レバー４７の端部には、図２に示すように第２ディスク検知レバー２９をトップシャーシ２に組み込み時にその先端がトップシャーシ２の後壁５５からわずかに突出する程度に形成した突出部６６を備えている。
【００１８】
前記第１ディスク検知レバー２８と第２ディスク検知レバー２９とを連動するため、両者を連結するレバーリンク７０を備えている。レバーリンク７０は、その第１端部７１側に設けたリンク第１ボス７２と、その第２端部７３側に設けたリンク第２ボス７４を備え、また、第１端部７１側にはトップシャーシ２に設けたボス７５が摺動自在に嵌合する第１ガイド溝７６を備え、第２端部７３側にはトップシャーシ２に設けたボス７７が摺動自在に嵌合する第２ガイド溝７８を備えている。レバーリンク７０は略中間部で屈曲しており、それにより第１ディスク検知レバー２８側においては第１前側レバー４４側のガイド溝穴５０内にそのリンク第１ボス７２が嵌合し、第２ディスク検知レバー２９側においては第２後側レバー４７側のガイド溝穴６１内にそのリンク第２ボス７４が嵌合しているとともに、両端部近傍でトップシャーシ２のボス７５，７７と第１ガイド溝７６，第２ガイド溝７と８が摺動自在に嵌合してレバーリンクはガイドされ、第１ディスク検知レバー２８と第２ディスク検知レバー２９の回動を連動している。
【００１９】
また、各レバーをトップシャーシに組み込んだときに図２に示す状態を維持するように、第１ディスク検知レバー２８のスプリング係止部５４と、トップシャーシ２に設けた第１スプリング掛部８０との間に第１レバースプリング８１を張設し、第２ディスク検知レバー２９のスプリング係止部６５と、トップシャーシ２に設けた第２スプリング掛部８２との間に第２レバースプリング８３を張設している。それにより、第１ディスク検知レバー２８の第１検知ロッド３０と、第２ディスク検知レバー２９の第２検知ロッド３１は互いに近接する方向に付勢され、各ロッドの位置は、前記カバー裏板２１の曲縁部１９の内側端部において各々その移動が止められている。上記第１検知ロッド３０と第２検知ロッド３１の間隔は、小径の８ｃｍディスクの直径よりは小さく設定され、ディスクがローディングされる際に、ディスクの外周に常にロッドが当接しているように、且つ、ロッドの移動に応じて検知スイッチをＯＮ−ＯＦＦできる様に、上記第１レバースプリング８１と第２レバースプリング８３のバネ力を調整してある。
【００２０】
アームクランプ４には、図１に示すように、アームクランプ４前方中央に、アームクランプ４の前方に突出するように、支持ブラケット８５を介してクランプディスク８６が揺動自在、且つ回転自在に支持されており、ディスクプレーヤにディスクを挿入していない状態においては、クランプディスクが回動部３を中心に上方に回動する方向に付勢されており、その回動は、図１に示すようにクランプディスク８６の先端上面が、前記カバー裏板２１のアーム３２に張設されたスプリング３３に当接して受け止められている。
【００２１】
アームクランプ４は、図１に示す組立状態から、前記トップシャーシ２を取り除いた後に、図示されない部材に設けたボス９，９に支持されている回動部３、３を、図中左方向に移動してボス９，９から外すことにより、ベースシャーシ１から取り外される。このように取り外されたアームクランプ３を裏返しにしてそのアームプレート部１００の裏面に取り付けられた部材を示したのが図３である。したがって、この図３においても、前記図２と同様に、図１に示す状態とは前後方向は同一で、左右方向が逆になって示されている。この図３から明らかなように、アームクランプ４の裏面には、回転支持部１０１により回動自在に支持されたレバーリターン１０２が設けられている。
【００２２】
レバーリターン１０２は、回転支持部１０１から後方且つアームクランプ４の第１側面１０３側に延びるスプリング受けレバー部１０４を備え、その先端に設けた二股状のスプリング受け部１０５には、反転スプリング１０６の一端が掛けられている。反転スプリング１０６はコイル状に捲回され、前記スプリング受け部１０５に掛けられた作用端９０に対する反対側の支持端９１は、アームクランプ４のアームプレート部１００の側縁近傍に設けた通孔１０７をその裏面側から貫通させ、図１に示すように、その表側に延び、折り曲げられて抜け止めされ、通孔１０７部分で回転自在に支持されている。
【００２３】
レバーリターン１０２には、前記スプリング受けレバー部１０４と反対側に延びると共に、その先端がアームクランプ４の中央、且つ図中後方側に鶴の首状に延びるスライダー付勢レバー部１０８を備えており、スライダー付勢レバー部１０８の先端には、図３に破線で示すように、切換スライダー１１０の裏面中央に設けたボス１１１を摺動自在に嵌入している長穴１１２を備えている。また、スライダー付勢レバー部の先端部とは逆方向に、アームプレート部１００の案内穴１１３を貫通して、アームプレート部１００の表側に屈曲して延びる押圧部１１４を備え、この押圧部１１４には、図１に示されるようにその一部がアームプレート１００の表面側に重なるガイド部１１５を形成している。
【００２４】
切換スライダー１１０は図３に示され、また図１に一部示されるように、アームプレート部１００の裏面に対向する面から、アームプレート部１００の前後方向に延びる図中５本のガイド孔を貫通して延びるガイドボスを備えている。上記ガイドボスのうち、その中心部には前記ボス１１１を挟んで前後方向に位置する２個の中心ガイドボス１１６，１１６を備え、この中心ガイドボス１１６，１１６はアームプレート部１００の中心位置に設けた中心ガイド孔１１７内に位置し、中心ガイド孔１１７に沿って摺動し案内される。この中心ガイドボス１１６を挟んで両側には内側ガイドボス１１８、１１８を備え、この内側ガイドボス１１８，１１８は、アームプレート部１００の中心ガイド孔１１７を挟んで両側に位置して前後方向に平行に設けた内側ガイド孔１２０，１２０を貫通してアームプレート部１００の表側に延び、図１に示すように、その先端は図中左側に屈曲して延び、アームプレート１００の表面と一部重なるように形成されている。また、この内側ガイドボス１１８，１１８の更に両側には外側ガイドボス１２１，１２１が前記内側ガイドボスと同様の構成で設けられ、この外側ガイドボス１２１，１２１は、アームプレート部１００の内側ガイド孔１２０，１２０の外側に位置して前後方向に平行に設けた外側ガイド孔１２２，１２２を貫通してアームプレート部１００の表側に延び、図１に示すように、その先端は図１中で左側の外側ガイドボス１２１はその表側において図中左側に屈曲して延び、図１中で右側の外側ガイドボス１２１は図中右側に屈曲して延び、各々アームプレート１００の表側と一部重なるように形成されている。切換スライダー１１０の前記各ボスが突出する面とは反対側の面には、図３に示すように、その両側にディスクが当接するストッパピン１２３を突設している。
【００２５】
アームクランプ４の表側には、図１に示すように、図中左右方向に延びるロックスライダー１２５を、図中左右に摺動自在に設けている。ロックスライダー１２５の図１中左側端部には押圧フランジ部１２６が裏面側に折曲されて形成されており、この押圧フランジ部１２６は、図１に示すようにアームクランプ４及びトップシャーシ２の組立状態において、また、ロックスライダー１２５の最も左側に位置している自由状態において、前記第１ディスク検知レバー２８の押圧部５６と所定の間隔を有して位置している。ロックスライダー１２５には図１中左側に第１ボス１１９が図１中裏面側に突出しており、また右側には第２ガイド長孔１２７が形成されており、第１ボス１１９はアームクランプ４のアームプレート１００前端部に設けた第１ガイド長孔１２８と嵌合し、第２ガイド長孔１２７はアームプレート部１００に設けた第２ボス１２９と嵌合し、それによりロックスライダー１２５は、アームプレート１００の表面において、図１中で左右に一直線上に移動するようにガイドされている。
【００２６】
ロックスライダー１２５の後縁部１３０の左右両側には、略Ｌ字型に突出するロック部１３１，１３１を備えており、このロック部１３１，１３１の図１中左側に折曲されている先端部１３２，１３２には傾斜面１３３，１３３を形成しており、後述するように、内側ガイドボス１１８のロック作用を行う。ロックスライダー１２５の略中央部には図１中裏面に突出するスプリング係止部１３４を備え、このスプリング係止部１３４は、図３に一部示されているように、アームクランプ４の前方において左右方向に延びるガイド孔１３５を貫通して延びている。このスプリング係止部１３４とアームクランプ４の裏面に突出するスプリング係止部１３６との間にはロックスライダースプリング１３７を張設しており、それによりロックスライダー１２５の自由状態において、このロックスライダー１２５を図１中左方向に付勢し、第１ガイド長孔１２８中において第１ボス１１９が図１中右端で当接し、第２ガイド長孔１２７中において第２ボス１２９が同様に右端で当接することによりその移動が止められている。また、ロックスライダー１２５の図１中右端には押圧突起１３８が形成されている。
【００２７】
一方、アームクランプ４の裏面には、図３に示すように、前記レバーリターン１０２と対向するようにディスクエンド検知レバー１５０を配置している。このディスクエンド検知レバー１５０には屈曲したカム溝１５１が形成され、このカム溝１５１には、切換スライダー１１０の前記各ボスと同じ方向に突出させたスライダーボス１５２が嵌合している。ディスクエンド検知レバー１５０の後端には、図３に示す切換スライダー１１０の位置において、後縁の切り欠き部１４９に位置する部分に、ディスク検知ピン１５３をストッパピン１２３と同様に突出させて設けている。ディスクエンド検知レバー１５０の先端部には駆動ピン１６０を前記ディスク検知ピン１５３と同じ側に突出しており、この駆動ピン１６０にはアームクランプ４に設けた回動支持部１６１を中心に回転するリンクレバー１６５の一端に設けた２又状のピン保持部１６６内に保持されている。ディスクエンド検知レバー１５０のカム溝１５１の先端部１６７と駆動ピン１６０の略中間には、駆動ピン１６０とは反対側に突出するレバーボス１６８を突出しており、このレバーボス１６８は、アームクランプ４のアームプレート部１００に設けたレバーボスガイド溝１７０内に嵌合している。
【００２８】
リンクレバー１６５は、前記ピン保持部１６６とは反対側に略Ｌ字型に形成されたトリガーレバー作動部１７１を備え、このトリガーレバー作動部１７１には図１に示されているトリガーレバー１７２が、リンクレバーの所定の回転時に作動することができるように位置している。それにより、前記ディスクエンド検知レバー１５０によって８ｃｍＣＤと１２ｃｍＣＤが検知され、それに応じたディスクエンド検知レバー１５０の作動が行われるとき、トリガーレバー１７２はその作動により操作され、図示されないアームクランプの回動機構等、各種の機構の作動をトリガーする作用を行う。リンクレバー１６５にはスプリング係止部１７３を備え、アームプレート１００に設けたスプリング係止部１７４との間にリターンスプリング１７５を張設しており、それによりリンクレバーを常時アームクランプ４の側部に設けたストッパ１７６に当接する方向に付勢している。
【００２９】
上記のように構成されたディスクプレーヤにおいて、８ｃｍＣＤと１２ｃｍＣＤとを使用する際の作動を説明する。この作動の説明に際して、説明の便宜のため主要構成部品のみを抽出し、これらの部品の関連作動を示した、図４乃至図６の８ｃｍＣＤ使用作動図、及び図７乃至図１４の１２ｃｍＣＤ使用作動図に基づいて、前記図１乃至図３と関連して説明する。最初図４乃至図６により８ｃｍＣＤ使用時の作動を説明する。なお、図４は、本発明によるディスクプレーヤの作動を示す基本構成部品の作動説明図としての、８ｃｍＣＤの挿入を開始、または排出の終了の状態を示す要部平面図であり、図５は、同８ｃｍＣＤを挿入している途中、または排出している途中において、第１ディスク検知アームと第２ディスク検知アームが最も開いている状態を示す要部平面図であり、図６は、同８ｃｍＣＤを完全に挿入している状態を示す要部平面図である。
【００３０】
いずれのディスクも挿入していない初期状態は図４に示しているように、第１ディスク検知レバー２８は第１レバースプリング８１により、また、第２ディスク検知レバー２９は第２レバースプリング８３により各々付勢され、第１検知ロッド３０及び第２検知ロッド３１が図２のカバー裏板２１の曲縁部１９の内側端部に当接することにより、また、両レバーがレバーリンク７０で連結されてその位置が保持されている。
【００３１】
また、この初期状態において、アームクランプ４側に設けたロックスライダー１２５はロックスライダースプリング１３７によって常時図４中左側に位置するように付勢されている。この時、切換スライダー１１０は最も前方（図４においてＣＤが挿入される方向である下方、以下同様。）に位置し、切換スライダー１１０の内側ガイドボス１１８，１１８は切換スライダー１１０のロック部１３１，１３１内にあり、ロック部１３１の先端部１３２により後方への移動が阻止され、ロック状態を保持している。
【００３２】
更に、この初期状態において、切換スライダー１１０が前方に移動しているので、切換スライダー１１０のボス１１１がレバーリターン１０２に設けた長穴１１２に嵌合していることにより、レバーリターン１０２はその長穴１１２を形成したスライダー付勢レバー部１０８が前方に最も倒れた状態に保持されている。この時、レバーリターン１０２のスプリング受け部１０５に掛けられた反転スプリング１０６は、支持端９１がアームクランプの通孔１０７に挿入されている部分を中心に自由に回転できるので、図４に示すような状態となっており、したがって反転スプリング１０６の作用端９０がレバーリターン１０２に作用する力Ａ１は、作用端９０の軸線とレバーリターン１０２のスプリング受けレバー部１０４の軸線９３とのなす角が鈍角のため、図４に示すように時計方向に作用し、その結果レバーリターン１０２のスプリング受けレバー部を、矢印Ａ２として示しているように反時計方向に付勢し、またスライダー付勢レバー部１０８を矢印Ａ３として示しているように反時計方向に付勢している。それにより切換スライダー１１０は、反転スプリング１０６の力によって前方、即ち図４中下方に付勢されている。
【００３３】
上記初期状態から、８ｃｍＣＤのローディングに際して、８ｃｍＣＤであるＣＤ１をディスクプレーヤの入口５９から使用者が挿入すると、最初、図４に示すように第１検知ロッド３０と第２検知ロッド３１に当接する。この時使用者がＣＤ１をディスクプレーヤに挿入する力により、ＣＤ１は第１検知ロッド３０と第２検知ロッド３１を各々第１レバースプリング８１と第２レバースプリング８３の力に抗して押し広げつつ内部に挿入される。その後、ＣＤ１が挿入されると、第１検知ロッド３０と第２検知ロッド３１がＣＤ１の直径部分に当たるとき最も押し広げられ、図５に示す状態となる。この時、第１ディスク検知レバー２８の押圧部５６は、ロックスライダー１２５の押圧フランジ部１２６に当接することはなく、したがってロックスライダー１２５は移動せず、ロック部１３１、１３１は前記初期状態のまま切換スライダー１１０の内側ガイドボス１１８，１１８を保持している。
【００３４】
更にＣＤ１が挿入されると、第１検知ロッド３０と第２検知ロッド３１部分のＣＤ１はその間の長さが減少するので、第１レバースプリング８１と第２レバースプリング８３の力により、両ロッドはＣＤ１の上記長さの減少とともにその間隔が狭まっていく。その後最終的にＣＤ１がディスクプレーヤ内に引き込まれ、ストッパピン１２３によって移動が阻止されることにより、図６に示す状態となる。この時完全に内部に引き込まれたＣＤ１は、径が小さいため、第１検知ロッド３０と第２検知ロッド３１から完全に離れており、結局、ロックスライダー１２５，切換スライダー１１０，レバーリターン１０２は全く動くことがない。なお、上記過程において、図６に示されていない切換スライダー１１０の後側中央に位置しているディスクエンド検知レバー１５０のディスク検知ピン１５３がＣＤ１の縁で押され、ディスクエンド検知レバー１５０が直ちに回転し、リンクレバー１６５を回転してトリガーレバー１７２を移動させ、アームクランプ４を回動させてクランプディスク８６によりＣＤ１を押さえる作動等、ディスクプレーヤの各種の作動が開始される。
【００３５】
一方、上記作動は８ｃｍＣＤがディスクプレーヤの入口５９のほぼ中央から挿入された場合の動作について記載したが、その入口は１２ｃｍＣＤも挿入できるように大きく作られており、ディスクプレーヤの使用に際して、使用者はその入口５９の中央から挿入するとは限らず、入口の側部から奥に押し込むことも多い。その際は、第１ディスク検知レバー２８の第１検知ロッド３０，あるいは第２ディスク検知レバー２９の第２検知ロッド３１のいずれかが押されることとなる。しかしながら、両検知レバー２８，２９はレバーリンク７０で連結されているので、いずれにしても同じ状態で回動することとなる。例えば、ＣＤ１が第１ディスク検知レバー２８側から挿入されたとすると、第１ディスク検知レバー２８の大きな回動により、その先端の押圧部５６がロックスライダー１２５の押圧フランジ部１２６を押してロックスライダー１２５を図４において右方向に移動させ、ロック部１３１、１３１が切換スライダー１１１の内側ガイドボス１１８，１１８の保持状態を一時解除する。しかしながら、８ｃｍＣＤをいかに入口５９の中央位置から外して側方から押し込んでも、そのディスクの挿入先端縁がストッパピン１２３，１２３に当接する前に、第１検知ロッド３０及び第２検知ロッド３１がディスクの挿入後端縁に沿って戻るため、ロックスライダー１２５はロックスライダースプリング１３７の張力により元に戻り、ロック部１３１，１３１が前記内側ガイドボス１１８，１１８の保持を行うので、ディスクはストッパピン１２３，１２３に当接して、それ以上ローディングされることはない。
【００３６】
上記のようにしてローディングされた８ｃｍＣＤであるＣＤ１をイジェクトする時には、上記ローディング時の作動と全く逆に作動する。即ちＣＤのイジェクト信号が入ると、ディスクモータ駆動時にはこれを停止し、アームクランプを回動してクランプディスク８６によるディスクのクランプを解除し、ディスクの入口下方に設けた図示されない搬送ローラのイジェクト方向の回転により、ディスクは入口５９から排出される。この時、搬送ローラのイジェクト力により、初期状態となっている第１ディスク検知レバー２８の第１検知ロッド３０と、第２ディスク検知レバー２９の第２検知ロッド３１とを、第１レバースプリング８１と第２レバースプリング８３の力に抗して、これを押し広げて排出される。
【００３７】
一方、このディスクプレーヤに１２ｃｍＣＤを使用する際には、図７乃至図１２のように作動する。なお、図７は、本発明によるディスクプレーヤの作動を示す基本構成部品の作動説明図として、１２ｃｍＣＤの挿入を開始の状態を示す要部平面図であり、図８は、同１２ｃｍＣＤを挿入している途中、または排出している途中において、第１ディスク検知アームと第２ディスク検知アームが最も開いている状態を示す要部平面図であり、図９は、同１２ｃｍＣＤを挿入している途中において、初期状態の切換スライダーのストッパピンにディスクが当接している状態を示す要部平面図であり、図１０は、同１２ｃｍＣＤを挿入している途中において、切換スライダーの内側ガイドボスがロックスライダーのロック部と外れている瞬間の状態を示す要部平面図であり、図１１は、同１２ｃｍＣＤを挿入している途中において、レバーリターンを付勢する反転スプリングが中立状態となっている状態を示す要部平面図であり、図１２は、同１２ｃｍＣＤを完全に挿入している状態を示す要部平面図である。また、図１３は、同１２ｃｍＣＤの排出時の初期段階を示す要部平面図であり、図１４は、同１２ｃｍＣＤの排出している途中において、レバーリターンを付勢する反転スプリングが中立状態となっている状態を示す要部平面図である。
【００３８】
図７に示すディスクプレーヤの初期状態から大径の１２ｃｍＣＤであるＣＤ２を使用者が押し込むと、第１検知ロッド３０と第２検知ロッド３１が押し広げられ、第１ディスク検知レバー２８と第２ディスク検知レバー２９が前記したＣＤ１と同様に回転する。それに伴って第１ディスク検知レバー２８の押圧部５６が次第にロックスライダー１２５の押圧フランジ部１２６に近づき、その後両者が当接する。前記押圧部５６が押圧フランジ部１２６に当接した後は、ＣＤ２を押し込む力により押圧部５６が押圧フランジ１２６をロックスライダースプリング１３７に抗して押し込み、図中右方向に移動させる。それによりロック部１３１，１３１も図中右方向に移動するため、ロック部１３１，１３１内に位置していた内側ガイドボス１１８はロック状態をはずれる。しかしながら、前記のように、レバーリターン１０２が反転スプリング１０６によって図中矢印方向に付勢されているため、その力によって切換スライダー１１０は図示位置を保持している。
【００３９】
その後更にＣＤ２が挿入されると、図８に示すように、ＣＤ２の直径部分が第１検知ロッド３０と第２検知ロッド３１の間に位置し、第１ディスク検知レバー２８と第２ディスク検知レバー２９の最大揺動位置となる。この時、ロックスライダー１２５も最も押し込まれた位置となるが、その端部に設けた押圧突起１３８は、レバーリターン１０２の押圧部１１４に当接する迄には至らない。更にＣＤ２が内部に挿入されると、第１ディスク検知レバー２８と第２ディスク検知レバー２９は、第１検知ロッド３０と第２検知ロッド３１がこの間を通るＣＤ２の長さが減少するのに追従して移動し、両ロッド３０，３１の間隔が減少していく。また、第１ディスク検知レバー２８の上記回転により、押圧部５６が図中左方向に移動するので、ロックスライダースプリング１３７に付勢されているロックスライダー１２５も追従して図中左方向に移動する。したがって、ロックスライダー１２５に設けたロック部１３１、１３１も、切換スライダー１１０の内側ガイドボス１１８，１１８に近づく。
【００４０】
更にＣＤ２が挿入されると、図９に示すようにＣＤ２の差し込まれた端部が、切換スライダー１１０のストッパピン１２３、１２３に当接する。これ以降ＣＤ２が挿入されると、ＣＤ２によりストッパピン１２３，１２３が押圧され、それにより切換スライダー１１０が後方への移動を開始する。切換スライダー１１０の移動により、内側ガイドボス１１８、１１８が後方に移動するが、この時同時にロックスライダー１２５のロック部１３１、１３１が更に内側ガイドボス１１８に近接する。しかしながら、図１０に示すように、内側ガイドボス１１８、１１８が、ロック部１３１，１３１の先端部１３２，１３２を越えた後に、ロック部１３１が元のロック位置に戻るため、ロック部１３１、１３１によって内側ガイドボス１１８、１１８がロックされることはない。上記の過程において、レバーリターン１０２も切換スライダー１１０のスライダーボス１１１の移動に伴って、図１０中時計方向に回転する。この時、未だ反転スプリング１０６の作用端９０の軸線とレバーリターン１０２のスプリング受けレバー部１０４の軸線とのなす角が鈍角のため、前記初期状態と同様に、反転スプリングの作用端９０は、スプリング受けレバー部１０４を図中矢印方向に付勢し、それにより、レバーリターン１０２のスライダー付勢レバー部１０８は、図１０中に矢示するように、切換スライダー１１０を戻す方向に付勢している。
【００４１】
更にＣＤ２が挿入されると、切換スライダー１１０の移動によりレバーリターン１０２も回転し、図１１に示すように、反転スプリング１０６の作用端９０の軸線とレバーリターン１０２のスプリング受けレバー部１０４の軸線のなす角が直角となり、反転スプリング１０６がレバーリターンに作用する力は中立位置、即ち死点となる。この状態は図１１中において両端矢示として示されている。この状態から更にＣＤ２が挿入されると、反転スプリング１０６の作用端９０の軸線とレバーリターン１０２のスプリング受けレバー部１０４の軸線のなす角が鋭角となるため、反転スプリング１０６の作用端９０はレバーリターン１０２に対して逆方向の付勢力を発生、即ち反転作用をなし、レバーリターン１０２のスライダー付勢レバー部１０８は、切換スライダー１１０を後方に付勢する。
【００４２】
ＣＤ２の挿入がさらに進むと、ＣＤ２はターンテーブル等を設けたドライブユニット上に配置されている位置決めピン（図示せず）に当接し、それ以上は挿入されなくなる。ただし、切換スライダー１１０は、レバーリターン１０２の後方端への付勢力により、図１２に示すようにさらに後方に移動して停止し、ストッパーピン１２３，１２３はディスクＣＤ２の縁と接触せず退避位置となる。この時レバーリターン１０２の押圧部１１４は、ロックスライダー１２５の端部の押圧突起１３８とほぼ当接する位置で停止する。
【００４３】
なお、上記ディスクのローディング過程でのディスクエンド検知レバー１５０の作動の詳細な説明は省略するが、最初ディスク検知ピン１５３がＣＤ２の縁で押されるとき、前記のようにロックスライダー１２５がロック解除の状態にあるので、ＣＤ２がストッパピン１２３を押圧して切換スライダー１１０を後方に移動させ、スライダーボス１５２がカム溝１５１内で移動し、且つレバーボス１６８がレバーボスガイド溝１７０内で移動するため、ディスクエンド検知レバー１５０は駆動ピン１６０を中心に回転し、リンクレバー１６５に何ら作用しないため、この期間はアームクランプ等の作動は行われない。しかし、レバーボス１６８がレバーボスガイド溝１７０の端部に到達すると、ディスクエンド検知レバー１５０はレバーボス１６８を中心に回転を開始し、駆動ピン１６０がリンクレバー１６５を回転させるので、前記小径のＣＤ１の説明に述べたとおり、リンクレバーのトリガーレバー作動部１７１がトリガーレバー１７２を移動させ、アームクランプ４の回動によるクランプディスク８６のディスクのクランプ等、一連のディスク駆動の作動が行われる。
【００４４】
上記のようにしてローディングされた１２ｃｍＣＤのＣＤ２をイジェクトする際には、ディスクのイジェクト信号が入ると、ディスクモータ駆動時にはモータを停止し、アームクランプ４を回動してクランプディスク８６によるＣＤ２のクランプを解除し、搬送ローラのイジェクト方向の回転によりＣＤ２は入口５９方向に移動する。この時のディスクの移動は、図１２に示す状態から図１３に示す状態に移行する。即ち、ＣＤ２は第１ディスク検知レバー２８の第１検知ロッド３０と第２ディスク検知レバー２９の第２検知ロッド３１とを、第１レバースプリング８１と第２レバースプリング８３に抗して押圧し、両ロッドを押し広げる。その際、第１ディスク検知レバー２８の押圧部５６が、ロックスライダー１２５の押圧フランジ部１２６を押圧するまでは、ロックスライダー１２５は何ら移動せず、図１３に示すように切換スライダー１１０も移動しない。その後、第１ディスク検知レバー２８の押圧部５６がロックスライダー１２５の押圧フランジ部１２６を押し、ロックスライダー１２５を図中右方向に移動させる。この移動に伴って、レバーリターン１０２を回転支持部１０１を中心に回転させる。
【００４５】
上記のように、ディスクの排出力によって第１ディスク検知レバー２８が移動し、その力でロックスライダー１２５が移動し、その結果、レバーリターン１０２が回転して、スライダー付勢レバー部１０８を前方に移動し、長穴１１２が切換スライダー１１０のボス１１１を前方に移動させようとする。この時レバーリターン１０２は図１３に示されるように、反転スプリング１０６によって切換スライダー１１０を後方に付勢する力を受けているが、搬送ローラによりＣＤ２を排出する力が強いので、前記反転スプリング１０６の力に抗して切換スライダー１１０は前方へ移動する。この移動が図１４に示す状態、即ち、反転スプリング１０６の作用端９０の軸線とレバーリターン１０２のスプリング受けレバー部１０４の軸線のなす角が直角となり、反転スプリング１０６がレバーリターンに作用する力が中立位置、即ち死点となる位置まで同様の作動が行われる。したがって、図１４に示すように、ローラによって排出されるディスクと切換スライダー１１０のストッパピン１２３とは当接しておらず、前記ディスクのローディング時における図９乃至図１１に示す状態とはこの点で異なっている。
【００４６】
図１４に示す反転スプリング１０６がレバーリターン１０２に作用する力が中立位置になった状態から、更にＣＤ２がイジェクトされると、瞬間的に反転スプリング１０６の作用の中立位置を越えるので、反転スプリング１０６の作用端９０の軸線とレバーリターン１０２のスプリング受けレバー部１０４の軸線とのなす角が鈍角となり、反転スプリングの作用端９０は、スプリング受けレバー部１０４を図１０の矢印に示す方向に付勢し、それにより、レバーリターン１０２のスライダー付勢レバー部１０８は、切換スライダー１１０を入口側に移動する力を与える。しかしながら、レバーリターン１０２は、ロックスライダー１２５によってＣＤ２が図８に示すように第１検知ロッド３０と第２検知ロッド３１とを最も押し拡げた状態となるまで反転スプリング１０６の力に関わりなく移動させられ、ロックスライダー１２５の移動限界点を越えると反転スプリング１０６の力によって初期状態、すなわちロックスライダー１２５から切り離された状態となる。その後、ＣＤ２の排出に伴って両ロッド３０，３１の間隙が減少し、第１ディスク検知レバー２８が図８中反時計方向に移動する。この移動に伴ってロックスライダー１２５がロックスライダースプリング１３７によって図８中左側に移動し、図７に示す初期状態に復帰する。
【００４７】
なお、本発明の実施例は上記のように構成したが、本発明の上記課題を解決するための特許請求の範囲に記載された構成の範囲において、種々の実施の態様が存在することは当然であり、本発明は上記実施例に限られるものではない。
【００４８】
【発明の効果】
請求項１に係る発明においては、特に、大径ディスクによって揺動された前記ディスク検知レバーにより移動する前記ロックスライダーの力によって、前記切換スライダーを前記所定位置に戻すレバーリターンとからディスクプレーヤを構成したので、切換スライダーは大径ディスクの搬出力によって所定位置まで戻すことができ、従来のもののように大径ディスクがディスクプレーヤの入口から飛び出すことがなくなり、また、装置全体を小型化することができる。
【００４９】
また、請求項２に係る発明においては、ロックスライダーと、切換スライダーと、レバーリターンとをディスクを押さえるアームクランプに設けたので、全体を小型にすることができるとともに、アームクランプを外すことによってこれらの装置を一体的に取り外すことができ、その組立及びメンテナンスが容易となる。また、請求項３に係る発明においては、ディスク検知レバーをトップシャーシに設けたので、この部分を小型にすることができると共に、トップシャーシを外すことによってこれらの装置を一体的に取り外すことができ、その組立及びメンテナンスが容易となる。また、請求項４に係る発明においては、ディスク検知レバーは、レバーリンクにより連動連結した第１ディスク検知レバーと第２ディスク検知レバーとからなるので、ディスクの検知が確実になる。また、請求項５に係る発明においては、ディスク検知レバーをトップシャーシと、該トップシャーシに固定した搬送ローラを受けるカバー裏板との間に設けたので、トップシャーシの取り外し時にディスク検知レバーが保持され、そのメンテナンスが容易となると共に全体を小型化することができる。
【００５０】
また、請求項６に係る発明においては、ロックスライダーをアームクランプの片面側に、レバーリターンと切換スライダーを他面側に設けたので、アームクランプの両面を用いて構成を簡素化でき、両者の作動の緩衝を避けることができると共に全体をコンパクトなものとすることができる。また、請求項７に係る発明においては、切換スライダーを前方と後方に付勢する反転スプリングを設けたので、１２ｃｍＣＤ挿入時の最後には自動的にディスクからの後退位置にすることができると共に、排出時には自動的に初期位置に戻すことができる。また、請求項８に係る発明においては、切換スライダーには、ディスク検知ピンを備えたディスクエンド検知レバーを揺動自在に固定しているので、ディスク検知レバー、ロックスライダー、切換スライダー、レバーリターンと関連してディスクエンド検知レバーを作動することができ、ディスクエンドを検知した後の各種作動を行う構成をコンパクトなものとすることができる。
【図面の簡単な説明】
【図１】本発明によるディスクプレーヤの実施例の組立斜視図である。
【図２】同実施例のトップシャーシを取り外し、更にカバー裏板を外して裏返した状態を示す斜視図である。
【図３】同アームクランプを取り外し、裏返した状態を示す斜視図である。
【図４】本発明によるディスクプレーヤの作動を示す基本構成部品の作動説明図としての、８ｃｍＣＤの挿入を開始、または排出の終了の状態を示す要部平面図である。
【図５】同８ｃｍＣＤを挿入している途中、または排出している途中において、第１ディスク検知アームと第２ディスク検知アームが最も開いている状態を示す要部平面図である。
【図６】同８ｃｍＣＤを完全に挿入している状態を示す要部平面図である。
【図７】本発明によるディスクプレーヤの作動を示す基本構成部品の作動説明図として、１２ｃｍＣＤの挿入を開始、または排出の終了の状態を示す要部平面図である。
【図８】同１２ｃｍＣＤを挿入している途中、または排出している途中において、第１ディスク検知アームと第２ディスク検知アームが最も開いている状態を示す要部平面図である。
【図９】同１２ｃｍＣＤを挿入している途中において、初期状態の切換スライダーのストッパピンにディスクが当接している状態を示す要部平面図である。
【図１０】同１２ｃｍＣＤを挿入している途中において、切換スライダーの内側ガイドボスがロックスライダーのロック部と外れている瞬間の状態を示す要部平面図である。
【図１１】同１２ｃｍＣＤを挿入している途中において、レバーリターンを付勢する反転スプリングが中立状態となっている状態を示す要部平面図である。
【図１２】同１２ｃｍＣＤを完全に挿入している状態を示す要部平面図である。
【図１３】同１２ｃｍＣＤの排出時の初期状態を示す要部平面図である。
【図１４】同１２ｃｍＣＤの排出している途中において、レバーリターンを付勢する反転スプリングが中立状態となっている状態を示す要部平面図である。
【図１５】従来のディスクプレーヤの一例を示す要部平面図である。
【符号の説明】
１  ベースシャーシ
２  トップシャーシ
４  アームクランプ
２１  カバー裏板
２８  第１ディスク検知レバー
２９  第２ディスク検知レバー
３０  第１検知ロッド
３１  第２検知ロッド
３９  搬送ローラ受け溝
５６  押圧部
７０  レバーリンク
８１  第１レバースプリング
８３  第２レバースプリング
８６  クランプディスク
１００  アームプレート部
１０２  レバーリターン
１０６  反転スプリング
１０８  スライダー付勢レバー部
１１０  切換スライダー
１１４  押圧部
１１８  内側ガイドボス
１２０  内側ガイド孔
１２３  ストッパピン
１２５  ロックスライダー
１２６  押圧フランジ部
１３１  ロック部
１３７  ロックスライダースプリング
１３８  押圧突起
１５０  ディスクエンド検知レバー
１５３  ディスク検知ピン
１６５  リンクレバー
１６８  レバーボス
１７２  トリガーレバー
【図１】
0003911095.tif 000002
【図２】
0003911095.tif 000003
【図３】
0003911095.tif 000004
【図４】
0003911095.tif 000005
【図５】
0003911095.tif 000006
【図６】
0003911095.tif 000007
【図７】
0003911095.tif 000008
【図８】
0003911095.tif 000009
【図９】
0003911095.tif 000010
【図１０】
0003911095.tif 000011
【図１１】
0003911095.tif 000012
【図１２】
0003911095.tif 000013
【図１３】
0003911095.tif 000014
【図１４】
0003911095.tif 000015
【図１５】
0003911095.tif 000016